(57)【特許請求の範囲】
【請求項１】
無接点充電方式によって端末装置への充電を行う無接点充電装置であって、
当該無接点充電装置の載置面に前記端末装置が置かれた場合に、当該無接点充電装置に対する前記端末装置自体の向きを検出する向き検出手段と、
前記端末装置への通常充電と急速充電との切り替えを行う充電切替手段と、
前記向き検出手段によって検出された端末装置自体の向きに応じて前記充電切替手段による前記端末装置への通常充電と急速充電との切り替えを制御する制御手段と、
を具備したことを特徴とする無接点充電装置。
【請求項２】
前記端末装置と外部機器との通信を仲介する通信仲介手段を更に備え、
前記制御手段は、前記向き検出手段によって検出された向きに応じて前記通信仲介手段による通信を制御する、
ようにしたことを特徴とする請求項１に記載の無接点充電装置。
【請求項３】
前記向き検出手段は、複数個設けられていて、この複数個の向き検出手段を構成する構成要素として、当該無接点充電装置側に配設されている複数の構成要素と、前記端末装置側に配設されている複数の構成要素との組み合わせに応じて、その組み合わせ数に応じた種類の向きを検出する、
ようにしたことを特徴とする請求項１記載の無接点充電装置。
【請求項４】
前記制御手段は、前記向き検出手段によって前記端末装置の向きが検出されなかった場合に、当該端末装置への充電を可能状態とする、
ようにしたことを特徴とする請求項１記載の無接点充電装置。
【請求項５】
前記制御手段は、前記端末装置の向きに応じて実行動作を制御する場合に、その実行動作を報知する、
ようにしたことを特徴とする請求項１記載の無接点充電装置。
【請求項６】
無接点充電装置からの電力エネルギーの供給によって充電される端末装置であって、
当該端末装置が前記無接点充電装置の載置面に置かれた場合に、前記無接点充電装置に対する当該端末装置自体の向きを検出する向き検出手段と、
前記無接点充電装置に対して通常充電と急速充電との切り替えを指示する充電切替指示手段と、
前記向き検出手段により検出された当該端末装置自体の向きに応じて前記充電切替指示手段による前記無接点充電装置に対しての通常充電と急速充電との切り替え指示を制御する制御手段と、
を具備したことを特徴とする端末装置。
【請求項７】
前記無接点充電装置を介して外部機器との間で通信を行う通信手段を更に備え、
前記制御手段は、前記向き検出手段によって検出された向きに応じて前記通信手段による通信を制御する、
ようにしたことを特徴とする請求項６に記載の端末装置。
【請求項８】
前記向き検出手段は、複数個設けられていて、この複数個の向き検出手段を構成する構成要素として、前記無接点充電装置側に配設されている複数の構成要素と、当該端末装置側に配設されている複数の構成要素との組み合わせに応じて、その組み合わせ数に応じた種類の向きを検出する、
ようにしたことを特徴とする請求項６記載の端末装置。
【請求項９】
前記制御手段は、前記向き検出手段によって当該端末装置の向きが検出されなかった場合に、充電可能な状態とする、
ようにしたことを特徴とする請求項６記載の端末装置。
【請求項１０】
前記制御手段は、前記無接点充電装置に置かれた向きに応じて実行動作を制御する場合に、その実行動作を報知する、
ようにしたことを特徴とする請求項６記載の端末装置。
【請求項１１】
当該端末装置を構成し、開閉可能に取り付けられた複数の筐体の開閉状態を検出する開閉検出手段を更に備え、
前記制御手段は、前記向き検出手段により検出された向きと前記開閉検出手段によって検出された開閉状態に応じて実行動作を制御する、
ようにしたことを特徴とする請求項６記載の端末装置。
【請求項１２】
無接点充電装置のコンピュータに対して、
無接点充電方式によって充電する端末装置が当該無接点充電装置に置かれた場合に、当該無接点充電装置に対する前記端末装置自体の向きを検出する機能と、
前記端末装置への通常充電と急速充電との切り替えを行う機能と、
前記検出された前記端末装置自体の向きに応じて前記端末装置への通常充電と急速充電との切り替えを制御する機能と、
を実現させるためのプログラム。
【請求項１３】
端末装置のコンピュータに対して、
無接点充電方式によって当該端末装置への充電を行う無接点充電装置に当該端末装置が置かれた場合に、前記無接点充電装置に対する当該端末装置自体の向きを検出する機能と、
前記無接点充電装置に対して通常充電と急速充電との切り替えを指示する機能と、
前記検出された当該端末装置自体の向きに応じて前記無接点充電装置に対しての通常充電と急速充電との切り替え指示を制御する機能と、
を実現させるためのプログラム。
【発明の詳細な説明】
【技術分野】
【０００１】
本発明は、無接点充電方式によって端末装置への充電を行う無接点充電装置及びその端末装置並びにプログラムに関する。
【背景技術】
【０００２】
一般に、携帯電話機などの端末装置を充電する充電装置として、無接点充電方式（非接触充電方式）、例えば、電磁誘導方式を採用した無接点充電装置にあっては、金属電極が不要となるために防水や防塵構造を確保することができると共に、ショートする危険もなく、また、端末装置を置く向きを気にすることもないなどの様々な利点を有している。
ところで、従来では、充電と並行してコンピュータとの間で通信を可能とした無接点充電装置が開示されている（特許文献１参照）。
【先行技術文献】
【特許文献】
【０００３】
【特許文献１】特開２００９−５０１０００号公報
【発明の概要】
【発明が解決しようとする課題】
【０００４】
しかしながら、上述した先行技術の無接点充電装置にあっては、充電と並行して通信を行うことは可能であるが、それ以上の動作までも制御できるものではなかった。
そこで、充電と並行して通信を行う以外にも多様な動作を制御可能とすることも考えられるが、例えば、どのような動作を選択するかは、一連のキー操作によって行わなければならず、ユーザに負担をかけることにもなる。
【０００５】
本発明の課題は、無接点充電装置に端末装置を置くだけで、特別なキー操作を行うことなしに、ユーザの意図した実行動作を制御できるようにすることである。
【課題を解決するための手段】
【０００６】
上述した課題を解決するために請求項１記載の発明は、無接点充電方式によって端末装置への充電を行う無接点充電装置であって、当該無接点充電装置の載置面に前記端末装置が置かれた場合に、当該無接点充電装置に対する前記端末装置自体の向きを検出する向き検出手段と、前記端末装置への通常充電と急速充電との切り替えを行う充電切替手段と、前記向き検出手段によって検出された端末装置自体の向きに応じて前記充電切替手段による前記端末装置への通常充電と急速充電との切り替えを制御する制御手段と、具備したことを特徴とする。
【０００８】
請求項１に従属する発明として、前記端末装置と外部機器との通信を仲介する通信仲介手段を更に備え、前記制御手段は、前記向き検出手段によって検出された向きに応じて前記通信仲介手段による通信を制御する、ようにしたことを特徴とする請求項２記載の発明であってもよい。
【０００９】
請求項１に従属する発明として、前記向き検出手段は、複数個設けられていて、この複数個の向き検出手段を構成する構成要素として、当該無接点充電装置側に配設されている複数の構成要素と、前記端末装置側に配設されている複数の構成要素との組み合わせに応じて、その組み合わせ数に応じた種類の向きを検出する、ようにしたことを特徴とする請求項３記載の発明であってもよい。
【００１０】
請求項１に従属する発明として、前記制御手段は、前記向き検出手段によって前記端末装置の向きが検出されなかった場合に、当該端末装置への充電を可能状態とする、ようにしたことを特徴とする請求項４記載の発明であってもよい。
【００１１】
請求項１に従属する発明として、前記制御手段は、前記端末装置の向きに応じて実行動作を制御する場合に、その実行動作を報知する、ようにしたことを特徴とする請求項５記載の発明であってもよい。
【００１２】
また、上述した課題を解決するために請求項６記載の発明は、無接点充電装置からの電力エネルギーの供給によって充電される端末装置であって、当該端末装置が前記無接点充電装置の載置面に置かれた場合に、前記無接点充電装置に対する当該端末装置自体の向きを検出する向き検出手段と、前記無接点充電装置に対して通常充電と急速充電との切り替えを指示する充電切替指示手段と、前記向き検出手段により検出された当該端末装置自体の向きに応じて前記充電切替指示手段による前記無接点充電装置に対しての通常充電と急速充電との切り替え指示を制御する制御手段と、を具備したことを特徴とする。
【００１４】
請求項６に従属する発明として、前記無接点充電装置を介して外部機器との間で通信を行う通信手段を更に備え、前記制御手段は、前記向き検出手段によって検出された向きに応じて前記通信手段による通信を制御する、ようにしたことを特徴とする請求項７記載の発明であってもよい。
【００１５】
請求項６に従属する発明として、前記向き検出手段は、複数個設けられていて、この複数個の向き検出手段を構成する構成要素として、前記無接点充電装置側に配設されている複数の構成要素と、当該端末装置側に配設されている複数の構成要素との組み合わせに応じて、その組み合わせ数に応じた種類の向きを検出する、ようにしたことを特徴とする請求項８記載の発明であってもよい。
【００１６】
請求項６に従属する発明として、前記制御手段は、前記向き検出手段によって当該端末装置の向きが検出されなかった場合に、充電可能な状態とする、ようにしたことを特徴とする請求項９記載の発明であってもよい。
【００１７】
請求項６に従属する発明として、前記制御手段は、前記無接点充電装置に置かれた向きに応じて実行動作を制御する場合に、その実行動作を報知する、ようにしたことを特徴とする請求項１０記載の発明であってもよい。
【００１８】
請求項６に従属する発明として、当該端末装置を構成し、開閉可能に取り付けられた複
数の筐体の開閉状態を検出する開閉検出手段を更に備え、前記制御手段は、前記向き検出
手段により検出された向きと前記開閉検出手段によって検出された開閉状態に応じて実行
動作を制御する、ようにしたことを特徴とする請求項１１記載の発明であってもよい。
【００１９】
また、上述した課題を解決するために請求項１２記載の発明は、無接点充電装置のコンピュータに対して、無接点充電方式によって充電する端末装置が当該無接点充電装置に置かれた場合に、当該無接点充電装置に対する前記端末装置自体の向きを検出する機能と、前記端末装置への通常充電と急速充電との切り替えを行う機能と、前記検出された前記端末装置自体の向きに応じて前記端末装置への通常充電と急速充電との切り替えを制御する機能と、を実現させるためのプログラムを特徴とする。
【００２０】
また、上述した課題を解決するために請求項１３記載の発明は、端末装置のコンピュータに対して、無接点充電方式によって当該端末装置への充電を行う無接点充電装置に当該端末装置が置かれた場合に、前記無接点充電装置に対する当該端末装置自体の向きを検出する機能と、前記無接点充電装置に対して通常充電と急速充電との切り替えを指示する機能と、前記検出された当該端末装置自体の向きに応じて前記無接点充電装置に対しての通常充電と急速充電との切り替え指示を制御する機能と、を実現させるためのプログラムを特徴とする。
【発明の効果】
【００２１】
本発明によれば、無接点充電装置に端末装置を置くだけで、特別なキー操作を行うことなしに、ユーザの意図した実行動作を制御することができ、利便性が増して、実用効果の高いものとなる。
【図面の簡単な説明】
【００２２】
【図１】端末装置として適用した携帯電話機を無接点充電装置に載置させた状態を示した図。
【図２】（１）は、無接点充電装置１をその上面側から見た図、（２）は、折り畳んだ状態の携帯電話機２をその背面側から見た図。
【図３】折り畳んだ状態の携帯電話機２を無接点充電装置１に載置した際に、携帯電話機２が置かれた向きを示した図。
【図４】無接点充電装置１の基本的な構成要素を示したブロック図。
【図５】磁気センサＸ、Ｙの出力と閾値（１）、（２）、（３）との関係から、磁気センサＸ、Ｙにどの磁性体Ａ、Ｂが対向しているのかを説明するための図。
【図６】携帯電話機２の基本的な構成要素を示したブロック図。
【図７】無接点充電装置１側に設けられている向き判別テーブルＴＢＬを説明するための図。
【図８】電源オンに応じて実行開始される無接点充電装置１の全体動作の概要を示したフローチャート。
【図９】第１実施形態の変形例を説明するための図で、（１）は、無接点充電装置１をその上面側から見た図、（２）は、折り畳んだ状態の携帯電話機２をその背面側から見た図。
【図１０】第１実施形態の変形例を説明するもので、折り畳んだ状態の携帯電話機２を無接点充電装置１に載置した際に、携帯電話機２が置かれた向きを示した図。
【図１１】第１実施形態の変形例を説明するもので、向き判別テーブルＴＢＬの内容を説明するための図。
【図１２】第２実施形態において、（１）は、無接点充電装置１をその上面側から見た図、（２）は、折り畳んだ状態の携帯電話機２をその背面側から見た図。
【図１３】第２実施形態において、携帯電話機２が置かれた向きを示した図で、（１）〜（４）は、携帯電話機２を折り畳んで閉じた状態での向き、（５）〜（８）は、折り畳みを開いた状態での向きを示した図。
【図１４】第２実施形態において、向き判別テーブルＴＢＬの内容を説明するための図。
【図１５】第２実施形態において、携帯電話機２の基本的な構成要素を示したブロック図。
【図１６】第２実施形態において、電源オンに応じて実行開始される携帯電話機２の全体動作の概要を示したフローチャート。
【発明を実施するための形態】
【００２３】
（実施形態１）
【００２４】
以下、図１〜図８を参照して本発明の第１実施形態を説明する。
本実施形態は、端末装置として携帯電話機に適用した場合を例示したもので、図１は、この携帯電話機を無接点充電装置に載置させた状態を示した図である。
無接点充電装置１は、無接点充電方式（非接触充電方式）、例えば、電磁誘導方式によって、携帯電話機２に対する充電を行うもので、外部機器３に共通ケーブル４を介して接続されている。この無接点充電装置１は、外部機器３側から共通ケーブル４を介して外部供給される電力を電源として動作し、また、共通ケーブル４を介して携帯電話機２と外部機器３との間で行われる通信を仲介するようにしている。なお、携帯電話機２と外部機器３との間では、例えば、携帯電話機２側のスケジュールデータと外部機器３側のスケジュールデータとを整合させるスケジュールシンクロ処理を行うためにスケジュールデータを通信したり、メディアプレイヤーソフトなどを起動させるための起動命令を通信したりするようにしている。
【００２５】
携帯電話機２は、例えば、２つの筐体（操作部筐体、表示部筐体）が開閉可能（折り畳み可能）に取り付けられている折り畳みタイプで、二次電池（例えば、リチウム電池）を電源とし、ユーザは、この二次電池への充電時に携帯電話機２を折り畳んだ状態で充電装置１の上面に載置させるようにしている。なお、図中、ＳＤは、携帯電話機２の表示部を構成するメイン画面、サブ画面のうち、携帯電話機２の背面側に設けられているサブ画面を示している。外部機器３は、例えば、パーソナルコンピュータ、オーディオビジュアル機器などであり、無接点充電装置１を介して携帯電話機２との間でデータの送受信を実行可能となっている。共通ケーブル４は、例えば、ＵＳＢ（UNIVERSAL  SERIAL  BUS）ケーブルである。
【００２６】
図２は、無接点充電装置１をその上面側から見た図を示すと共に、折り畳んだ状態の携帯電話機２をその背面側から見た図である。
図２（１）は、無接点充電装置１をその上面側から見た図で、無接点充電装置１は、その筐体全体が矩形（略正方形）の平板状をなすもので、その上面は、携帯電話機２を載置させる載置面となっている。無接点充電装置１と携帯電話機２との接続面（載置面）において、その中央部には接触センサＴＳが配設されている。接触センサＴＳは、例えば、感圧センサなどで構成されたもので、携帯電話機２が無接点充電装置１に載置（接続）されたことを検出する。
【００２７】
また、無接点充電装置１の載置面の中央部には、無接点接続部を構成する充電用一次コイルＣＯＬ（１）が埋め込まれていると共に、その近傍には所定間隔を空けて磁気センサＸ、Ｙが埋め込まれている。図２（２）は、携帯電話機２を折り畳んだ状態において、後述する図３（１）に示す上向きの状態をその背面側から見た図である。この携帯電話機２の背面側には、無接点接続部を構成する充電用二次コイルＣＯＬ（２）が埋め込まれていると共に、その近傍には所定間隔を空けて磁性体Ａ、Ｂが埋め込まれている。
【００２８】
この磁気センサＸ、Ｙ及び磁性体Ａ、Ｂは、無接点充電装置１に携帯電話機２が載置された際に、無接点充電装置１に対して携帯電話機２がどの向きに載置されたかを検出するための向き検出部（後述する）を構成するもので、この複数の向き検出部を構成する構成要素として、無接点充電装置１側に配設されている複数の構成要素（磁気センサＸ、Ｙ）と携帯電話機２側に配設されている複数の構成要素（磁性体Ａ、Ｂ）との組み合わせに応じて、その組み合わせ数に応じた種類の向きを検出するようにしている。磁性体Ａ、Ｂは、磁力の異なる永久磁石であり、磁気センサＸ、Ｙは、ホール素子によって構成され、無接点充電装置１に携帯電話機２が載置された際に、どの磁性体Ａ、Ｂが磁気センサＸ、Ｙに対向したかに応じてその磁力に相当する起電力を発生することによって、どの磁気センサＸ、Ｙにどの磁性体Ａ、Ｂが対向しているかを検出可能となっている。なお、磁性体Ａ、Ｂの磁力は、磁性体Ａ＞Ｂの関係となっている。
【００２９】
図３は、折り畳んだ状態の携帯電話機２を無接点充電装置１に載置した際に、携帯電話機２が置かれた向きを示した図である。
携帯電話機２を無接点充電装置１に載置する際に、携帯電話機２の背面側に設けられているサブ画面ＳＤが上側となるように、つまり、磁性体Ａ、Ｂが下側となるように携帯電話機２を無接点充電装置１に載置すると、無接点充電装置１は、どの磁気センサＸ、Ｙがどの磁性体Ａ、Ｂに対向しているか（組み合わせられたか）に応じて、その組み合わせ数に応じた種類の向きを検出するようにしている。この場合、２つの磁気センサＸ、Ｙと２つの磁性体Ａ、Ｂとの組み合わせ数は、「４」であるから４種類の向きとして、図３（１）に示す上向き、（２）に示す右向き、（３）に示す左向き、（４）に示す下向きを検出するようにしている。
【００３０】
図４は、無接点充電装置１の基本的な構成要素を示したブロック図である。
無接点充電装置１は、制御部１１を中核とするもので、この制御部１１は、記憶部１２内の各種のプログラムに応じてこの無接点充電装置１の全体動作を制御するもので、中央演算処理装置やメモリ（図示省略）などを有している。記憶部１２は、ＲＯＭ、ＲＡＭなどの内部メモリで、プログラム領域とデータ領域とを有し、このプログラム領域には、図８に示す動作手順に応じて本実施形態を実現するためのプログラムが格納されている。また、記憶部１２のデータ領域には、この充電装置１の動作に必要な各種の情報が一時記憶されているほか、後述する向き判別テーブルＴＢＬが設けられている。
【００３１】
無接点接続部１３は、携帯電話機２が無接点充電装置１に接続（載置）されている状態において、携帯電話機２との間で無接点充電方式（例えば、電磁誘導方式）によって充電を行うもので、充電用一次コイルＣＯＬ（１）のほか、充電切替部ＢＣ（１）などを有する構成となっている。この無接点接続部１３内の充電切替部ＢＣ（１）は、“通常充電”、“急速充電”、“充電オフ”を切り替えるもので、例えば、スイッチングトランジスタなどによって構成され、制御部１１は、この充電切替部ＢＣ（１）に対して、通常充電指示、急速充電指示、充電オフ指示のいずれかを与えることによって“通常充電”、“急速充電”、“充電オフ”のいずれかに切り替えるようにしている。ここで、“急速充電”とは、例えば、“通常充電”で１〜２時間要していた充電を１０分〜１５分で行う充電方式で、低効率の“通常充電”に対して、高効率の充電方式である。
【００３２】
報知部１４は、充電状態を報知するＬＥＤ（発光ダイオード）などであり、“通常充電”、“急速充電”、“充電オフ”の状態をその発光色を変えたり、点滅状態を変えたりすることによって識別可能に報知する。操作部１５には電源オン／オフキーなどが備えられている。
外部機器接続部１６は、共通ケーブル４を介して外部機器３に接続される外部接続端子（共通端子）であり、接触センサＴＳによって携帯電話機２が載置されていることが検出されている状態において、制御部１１は、携帯電話機２と外部機器３との間で行われる通信を無接点接続部１３、外部機器接続部１６を介して仲介するようにしている。向き検出部１７は、携帯電話機２が載置された際にその向きを検出するもので、磁気センサＸ、Ｙを有する構成となっている。
【００３３】
向き検出部１７は、上述の磁気センサＸ、Ｙを有すると共に、アナログ／デジタル変換器（図示省略）などを有し、携帯電話機２が載置された際に磁気センサＸ、Ｙが携帯電話機２側の磁性体Ａ、Ｂのいずれを検出したかに応じて携帯電話機２が置かれた向きを検出する構成となっている。ここで、磁性体Ａ、Ｂの磁力が磁性体Ａ＞Ｂの関係にあり、磁気センサＸ、Ｙの出力（起電力）に関する閾値（１）、（２）、（３）の大きさが閾値（１）＞閾値（２）＞閾値（３）の関係にある場合に、図５に示すように磁気センサＸ、Ｙのいずれかに磁性体Ａが対向しているものとすると、磁気センサＸ、Ｙの出力は、閾値（１）以上となり、また、磁性体Ｂが対向していると、閾値（１）未満で閾値（２）以上となるため、磁性体Ａ、Ｂを区別して検出することが可能となっている。
【００３４】
ここで、磁気センサＸ、Ｙの出力が閾値（２）未満で閾値（３）以上であれば、どの磁性体Ａ、Ｂが対向しているのかを検出することができない不定な状態となる。すなわち、図３（１）〜（４）で示した上下左右の４種類の向きではなく、右上斜め向き（右向きと上向き間）、左下斜め向き（左向きと下向き間）などのように、上下左右以外の向きの場合には、磁気センサＸ、Ｙの出力は、閾値（２）未満で閾値（３）以上となるために不定な状態となる。なお、磁気センサＸ、Ｙの出力が閾値（３）未満の場合には、磁性体Ａ、Ｂが対抗していない状態（磁性体なし）を検出する。
【００３５】
非接触通信部１８は、接触センサＴＳによって携帯電話機２が無接点充電装置１に接続（載置）されていることが検出されている状態において、携帯電話機２との間で非接触通信によってデータの送受信を行うもので、例えば、非接触ＩＣカード、Bluetooth（登録商標）、赤外線通信などの非接触タイプの近距離通信手段によって構成されている。この場合、無接点充電装置１は、非接触通信部１８を介して携帯電話機２と外部機器３との間での通信を仲介し、非接触通信部１８を介して携帯電話機２から受信したデータを、共通ケーブル４を介して外部機器３に送信したり、逆に、外部機器３から共通ケーブル４を介して受信したデータを、非接触通信部１８を介して携帯電話機２に送信したりする。なお、接触センサＴＳは、上述したように携帯電話機２が無接点充電装置１に載置（接続）されたことを検出するもので、その載置の検出に応じて向き検出部１７は、携帯電話機２が載置された向きを検出する。
【００３６】
図６は、携帯電話機２の基本的な構成要素を示したブロック図である。
携帯電話機２は、無接点充電装置１から発生された電力エネルギーの供給によって充電されるもので、次のように構成されている。すなわち、携帯電話機２は、通話機能、電子メール機能、インターネット接続機能（Ｗｅｂアクセス機能）などが備え、最寄りの基地局（図示省略）を介して他の携帯電話機（図示省略）に接続されると、この他の携帯電話機との間で通話可能な状態となる。また、携帯電話機２は、無線通信網を介してインターネット（図示省略）に接続されると、電子メールの送受信が可能となったり、Ｗｅｂページを閲覧可能となったりする。制御部２０１は、二次電池ＢＴ（例えば、リチウム電池）を備えた電源部２０２からの電力供給によって動作し、記憶部２０３内の各種のプログラムに応じてこの携帯電話機２の全体動作を制御するもので、この制御部２０１にはＣＰＵ（中央演算処理装置）やメモリなどが設けられている。
【００３７】
記憶部２０３は、ＲＯＭ、ＲＡＭなどの内部メモリで、プログラム領域とデータ領域とを有し、このプログラム領域には、本実施形態を実現するためのプログラムが格納されている。また、記憶部２０３のデータ領域には、この携帯電話機２の動作に必要な各種の情報が一時記憶されている。なお、記憶部２０３は、例えば、ＳＤカード、ＩＣカードなど、着脱自在な可搬型メモリ（記録メディア）を含む構成であってもよく、図示しない所定の外部サーバ上にあってもよい。無接点接続部２０４は、携帯電話機２が無接点充電装置１に接続（載置）されている状態において、無接点充電装置１との間で無接点充電方式（例えば、電磁誘導方式）に電源部２０２内の二次電池ＢＴに対する充電が行われるもので、充電用二次コイルＣＯＬ（２）を有する構成となっている。
【００３８】
無線通信部２０５は、図示しない無線部、ベースバンド部、多重分離部などを備え、例えば、通話機能、電子メール機能、インターネット接続機能などの動作時に、最寄りの基地局（図示省略）との間でデータの送受信を行うもので、通話機能の動作時にはベースバンド部の受信側から信号を取り込んで受信ベースバンド信号に復調した後、電話部２０６を介して通話用スピーカＳＰから音声出力させ、また、通話用マイクＭＣからの入力音声データを電話部２０６から取り込み、送信ベースバンド信号に符号化した後、ベースバンド部の送信側に与えてアンテナＡＮから発信出力させる。
【００３９】
表示部２０７は、高精細液晶や有機ＥＬを使用し、例えば、待受画像、アイコン、日時情報のほか、テキストデータ、メール、Ｗｅｂページなどを表示するもので、携帯電話機２の表面側（内側）に設けられたメイン画面ＭＤと、携帯電話機２の背面側に設けられたサブ画面ＳＤとを有している。なお、表示部２０７は携帯電話機２に備えられている表示部としたが、外部モニタなど、任意の外部表示装置であってもよい。操作部２０８は、電源オン／オフキー、ダイヤル入力、文字入力、コマンド入力などを入力するもので、制御部２０１は、この操作部２０８からの入力操作信号に応じた処理を実行する。
【００４０】
報知部２０９は、サウンドスピーカＩＦ１、発光ダイオードＩＦ２、振動モータＩＦ３を備え、着信時に駆動されて着信報知を行うほか、アラーム報知時、充電時にも駆動される。非接触通信部２１０は、接触センサＴＳによって携帯電話機２が無接点充電装置１に接続（載置）されていることが検出されている状態において、無接点充電装置１との間で非接触通信によってデータの送受信を行うもので、例えば、非接触ＩＣカード、Bluetooth（登録商標）、赤外線通信などの非接触タイプの近距離通信手段によって構成されている。携帯電話機２は、非接触通信部２１０を介して無接点充電装置１からのデータを受信したり、外部機器３に送信したりする。なお、磁性体Ａ、Ｂは、上述したように、無接点充電装置１の向き検出部１７を構成する構成要素である。
【００４１】
図７は、無接点充電装置１側に設けられている向き判別テーブルＴＢＬを説明するための図である。
向き判別テーブルＴＢＬは、磁気センサＸ、Ｙが磁性体Ａ、Ｂのいずれの磁性体を検出したかに応じて携帯電話機２の向きを判別したり、この向きに応じて実行する無接点充電装置１の実行動作（処理）を判別したりする際に使用されるテーブルで、「向き」、「磁気センサの検出する磁性体」、「処理」を記憶する構成となっている。「向き」は、図３（１）〜（４）の“上向き”、“右向き”、“左向き”、“下向き”を示している。「磁気センサの検出する磁性体」は、磁気センサＸ、Ｙが磁性体Ａ、Ｂのいずれの磁性体を検出したかを示したもので、どの磁気センサＸ、Ｙがどの磁性体Ａ、Ｂを検出したか（組み合わせられたか）を示し、その組み合わせ数は４種類となっている。
【００４２】
すなわち、（１）、磁気センサＸが磁性体Ａを検出した場合（磁気センサＸに磁性体Ａが対向した場合）と磁気センサＹが磁性体Ｂを検出した場合（磁気センサＹに磁性体Ｂが対向した場合）の組み合わせ（磁気センサＸ＝磁性体Ａ、磁気センサＹ＝磁性体Ｂ）、（２）、磁気センサＸが磁性体を検出しなかった場合と磁気センサＹが磁性体Ａを検出した場合の組み合わせ（磁気センサＸ＝なし、磁気センサＹ＝磁性体Ａ）、（３）、磁気センサＸが磁性体Ｂを検出した場合と磁気センサＹが磁性体を検出しなかった場合の組み合わせ（磁気センサＸ＝磁性体Ｂ、磁気センサＹ＝なし）、（４）、磁気センサＸ、Ｙが磁性体を検出しなかった場合（磁気センサＸ＝なし、磁気センサＹ＝なし）の４種類である。
【００４３】
「処理」は、無接点充電装置１が行う実行動作で、携帯電話機２の４種類の向きに対応して、“通常充電を開始”、“通常充電と外部機器との通信を開始”、“外部機器との通信を開始”、“急速充電を開始”の４種類を有している。ここで、図示の例において、「向き」、「磁気センサの検出する磁性体」、「処理」との対応関係は、次のようになっている。すなわち、「磁気センサの検出する磁性体」が（磁気センサＸ＝磁性体Ａ、磁気センサＹ＝磁性体Ｂ）の場合には、「向き」として“上向き”、「処理」として“通常充電を開始”が対応付けられている。（磁気センサＸ＝なし、磁気センサＹ＝磁性体Ａ）の場合には、「向き」として“右向き”、「処理」として“通常充電と外部機器との通信を開始”が対応付けられている。（磁気センサＸ＝磁性体Ｂ、磁気センサＹ＝なし）の場合には、「向き」として“左向き”、「処理」として“外部機器との通信を開始”が対応付けられている。（磁気センサＸ＝なし、磁気センサＹ＝なし）の場合には、「向き」として“下向き”、「処理」として“急速充電を開始”が対応付けられている。
【００４４】
次に、第１実施形態における無接点充電装置１の動作概念を図８に示すフローチャートを参照して説明する。ここで、このフローチャートに記述されている各機能は、読み取り可能なプログラムコードの形態で格納されており、このプログラムコードにしたがった動作が逐次実行される。また、ネットワークなど伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００４５】
図８は、電源オンに応じて実行開始される無接点充電装置１の全体動作の概要を示したフローチャートである。
先ず、制御部１１は、電源オンに伴ってメモリ内容などを初期化した後（ステップＡ１）、携帯電話機２が接続（載置）されたことが接触センサＴＳによって検出されたか否かを調べ（ステップＡ２）、携帯電話機２が接続（載置）されるまで待機状態となる。いま、携帯電話機２が接続（載置）されたことが検出されたときには（ステップＡ２でＹＥＳ）、向き検出部１７によって携帯電話機２の向きを検出することができるか、つまり、携帯電話機２の向きが上下左右のいずれかであるかを検出することができたか否かを調べる（ステップＡ３）。
【００４６】
いま、例えば、右上斜め向き、左下斜め向きなどのように上下左右以外の向きの場合、つまり、携帯電話機２の向きが検出することができなかった場合には（ステップＡ３でＮＯ）、図５に示したように、磁気センサＸ、Ｙの出力が閾値（２）未満で閾値（３）以上であり、磁気センサＸ、Ｙと磁性体Ａ、Ｂとの対向関係を検出することができない不定状態となっているために、ステップＡ９に移り、無接点接続部１３内の充電切替部ＢＣ（１）に対して通常充電指示を与え、通常充電可能な状態に切り替えて通常充電を開始させる。そして、報知部１４を駆動して通常充電中であることを、例えば、青色発光によって報知させる（ステップＡ１０）。以下、携帯電話機２の載置が外されて、その接続が解除されたことが接触センサＴＳによって検出されたかを調べ（ステップＡ１１）、携帯電話機２が外されるまで上述のステップＡ９に戻り、通常充電をそのまま継続させる。いま、充電完了あるいは充電途中で携帯電話機２が外されたときには（ステップＡ１１でＹＥＳ）、充電切替部ＢＣ（１）に対して通常オフ指示を与え、充電を停止させた後（ステップＡ８）、上述のステップＡ２に戻る。
【００４７】
また、向き検出部１７によって携帯電話機２の向きを検出することができた場合には（ステップＡ３でＹＥＳ）、つまり、“磁気センサＸ＝磁性体Ａ、磁気センサＹ＝磁性体Ｂ”によって上向きが検出されたり、“磁気センサＸ＝なし、磁気センサＹ＝磁性体Ａ”によって右向きかが検出されたり、“磁気センサＸ＝磁性体Ｂ、磁気センサＹ＝なし”によって左向きが検出されたり、“磁気センサＸ＝なし、磁気センサＹ＝なし”によって下向きが検出されたりした場合には、向き判別テーブルＴＢＬを参照し（ステップＡ４）、検出した向きに対応付けられている「処理」を読み出してその動作を実行する（ステップＡ５）。そして、報知部１４を駆動して実行動作の種類を報知させた後（ステップＡ６）、携帯電話機２の載置が外されて接続が解除されたことが接触センサＴＳによって検出されたかを調べ（ステップＡ７）、以下、携帯電話機２が外されるまで上述のステップＡ５に戻って、その実行動作をそのまま継続させる。
【００４８】
例えば、上向きが検出されたときには上述の通常充電を開始させ、右向きが検出されたときには通常充電と共に、携帯電話機２と外部機器３との間での通信を開始させ、左向きが検出されたときには携帯電話機２と外部機器３との間での通信を開始させ、下向きが検出されたときには無接点接続部１３内の充電切替部ＢＣ（１）に対して急速充電指示を与え、急速充電が可能な状態に切り替えて急速充電を開始させる。ここで、接触センサＴＳによって携帯電話機２が外されたことが検出されると（ステップＡ７でＹＥＳ）、現在実行中の動作を停止させた後（ステップＡ８）、上述のステップＡ２に戻る。この場合、充電途中で携帯電話機２の向きを変更するために、携帯電話機２を外して置き直したときには、変更後の向きに応じた動作の実行に変更されるが、通信途中のときには、その通信が完了するまで携帯電話機２の置き直しを禁止する旨のメッセージを報知するようにしてもよい。
【００４９】
以上のように、第１実施形態において無接点充電装置１は、携帯電話機２が置かれた向きを検出すると共に、この向きに応じて実行動作を制御するようにしたので、特別なキー操作を行うことなしに、ユーザの意図した実行動作を選択することができるなど、利便性が増して、実用効果の高いものとなる。
【００５０】
無接点充電装置１の制御部１１は、その無接点接続部１３内に設けられている充電切替部ＢＣ（１）に対して、携帯電話機２の向きに応じて通常充電指示、急速充電指示のいずれかを与えることによって“通常充電”、“急速充電”のいずれかに切り替えるようにしたので、携帯電話機２の向きに応じて携帯電話機２への充電方法を切り替えることができる。
【００５１】
無接点充電装置１の制御部１１は、携帯電話機２が載置されている状態において、携帯電話機２と外部機器３との間で行う通信を仲介する場合に、携帯電話機２の向きに応じてその通信を制御するようにしたので、例えば、スケジュールデータの送受信やメディアプレイヤーソフトの起動などの送受信を制御することができる。
【００５２】
無接点充電装置１の制御部１１は、どの磁気センサＸ、Ｙが携帯電話機２側のどの磁性体Ａ、Ｂに組み合わせられたかに応じて、その組み合わせ数に応じた種類の向きを検出するようにしたので、磁気センサＸ、Ｙの数が少なくても多くの向きに対応して多くの実行動作を行うことができる。
【００５３】
無接点充電装置１の制御部１１は、携帯電話機２の向きが検出されなかった場合、例えば、右上斜め向き、左下斜め向きなど、上下左右以外の向きの場合には、携帯電話機２を充電するようにしたので、向きの数を更に増やすことができるほか、向きを間違えたとしても充電だけは確実に行うことが可能となる。
【００５４】
無接点充電装置１の制御部１１は、携帯電話機２の向きに応じて実行動作を制御する場合に、その実行動作を報知するようにしたので、ユーザにあっては、どのような動作が実行されているかを容易に確認することができる。
【００５５】
なお、上述した第１実施形態においては、２つの磁気センサＸ、Ｙと２つの磁性体Ａ、Ｂを設け、その組み合わせ数に応じて４種類の向きを検出するようにしたが、これに限らず、図９に示すように、３つの磁気センサＸ、Ｙ、Ｚと３つの磁性体Ａ、Ｂ、Ｃを設け、その組み合わせ数に応じて６種類の向きを検出するようにしてもよい。図９（１）は、無接点充電装置１をその上面側から見た図で、無接点充電装置１の上面（載置面）の中央部には、無接点接続部を構成する充電用一次コイルＣＯＬ（１）が埋め込まれていると共に、その近傍には所定間隔を空けて磁気センサＸ、Ｙ、Ｚが埋め込まれている。図９（２）は、携帯電話機２を折り畳んだ状態において、上述した図３（１）に示す上向き状態をその背面側から見た図で、この携帯電話機２の背面側には、無接点接続部を構成する充電用二次コイルＣＯＬ（２）が埋め込まれていると共に、その近傍には所定間隔を空けて磁性体Ａ、Ｂ、Ｃが埋め込まれている。
【００５６】
図１０は、折り畳んだ状態の携帯電話機２を無接点充電装置１に載置した際に、携帯電話機２が置かれた向きを示した図である。この場合、磁気センサＸ、Ｙ、Ｚがどの磁性体Ａ、Ｂ、Ｃに対向しているか（組み合わせられたか）に応じて、その組み合わせ数に応じた種類の向きを検出するようにしている。この場合、３つの磁気センサＸ、Ｙ、Ｚと３つの磁性体Ａ、Ｂ、Ｃとの組み合わせ数は、「６」であるから６種類の向きとして、図１０（１）の“上向き”、（２）の“右向き６０°”、（３）の“右向き１２０°”、（４）の“左向き６０°”、（５）の“左向き１２０°”、（６）の“下向き”を検出するようにしている。
【００５７】
図１１は、第１実施形態の変形例として、３つの磁気センサＸ、Ｙ、Ｚと３つの磁性体Ａ、Ｂ、Ｃの場合における向き判別テーブルＴＢＬの内容を説明するための図で、第１実施形態と同様に「向き」、「磁気センサの検出する磁性体」、「処理」の項目を有している。
「向き」は、図１０（１）〜（６）に示す上向き、“右向き６０°”、“右向き１２０°”、“左向き６０°”、“左向き１２０°”、“下向き”の６種類となっている。「磁気センサの検出する磁性体」は、上向きに対応して“磁気センサＸ＝磁性体Ａ、磁気センサＹ＝磁性体Ｂ、磁気センサＺ＝磁性体Ｃ”となり、右向き６０°に対応して“磁気センサＸ＝なし、磁気センサＹ＝磁性体Ａ、磁気センサＺ＝磁性体Ｂ”となり、右向き１２０°に対応して“磁気センサＸ＝なし、磁気センサＹ＝なし、磁気センサＺ＝磁性体Ａ”となり、左向き６０°に対応して“磁気センサＸ＝磁性体Ｂ、磁気センサＹ＝磁性体Ｃ、磁気センサＺ＝なし”となり、左向き１２０°に対応して“磁気センサＸ＝磁性体Ｃ、磁気センサＹ＝なし、磁気センサＺ＝なし”となり、下向きに対応して“磁気センサＸ＝なし、磁気センサＹ＝なし、磁気センサＺ＝なし”となっている。
【００５８】
「処理」は、上向きに対応して“通常充電を開始”となり、右向き６０°に対応して“通常充電と外部機器の通信を開始”となり、右向き１２０°に対応して“通常充電と外部機器の通信を開始及びマナーモード”となり、左向き６０°に対応して“外部機器の通信を開始”となり、左向き１２０°に対応して“外部機器の通信を開始及びマナーモード”となり、下向きに対応して“急速充電を開始”となっている。なお、「処理」に“マナーモード”が記憶されている場合には、着信報知の仕方として着信音の発生に代わってバイブレーション報知を行うことを示している。
【００５９】
このように３つの磁気センサＸ、Ｙ、Ｚと３つの磁性体Ａ、Ｂ、Ｃを設けた場合でも、無接点充電装置１側では上述した図８のフローチャートと同様の処理が行われる。この場合においても携帯電話機２が置かれた向きに応じて実行動作を制御することができるほか、制御可能な動作数（処理数）を増やすことが可能となる。
なお、図９〜図１１は、３つの磁気センサＸ、Ｙ、Ｚと３つの磁性体Ａ、Ｂ、Ｃを設けた場合を示したが、４つの磁気センサと４つの磁性体を設けて８種類の向きを検出するようにしてもよい。
【００６０】
（実施形態２）
以下、この発明の第２実施形態について図１２〜図１６を参照して説明する。
なお、上述した第１実施形態においては、無接点充電装置１に適用した場合を示し、携帯電話機２が置かれた向きに応じて実行動作を制御するようにしたが、この第２実施形態においては、携帯電話機２に適用した場合を示し、無接点充電装置１に置かれた向きに応じて実行動作を制御するようにしたものである。ここで、両実施形態において基本的あるいは名称的に同一のものは、同一符号を付して示し、その説明を省略すると共に、以下、第２実施形態の特徴部分を中心に説明するものとする。
【００６１】
図１２は、無接点充電装置１をその上面側から見た図を示すと共に、折り畳んだ状態の携帯電話機２をその背面側から見た図である。
図１２（１）は、無接点充電装置１をその上面側から見た図で、無接点充電装置１の上面（載置面）の中央部には、無接点接続部を構成する充電用一次コイルＣＯＬ（１）が埋め込まれていると共に、その近傍には所定間隔を空けて磁性体Ａ、Ｂが埋め込まれている。図１２（２）は、携帯電話機２を折り畳んだ状態において、図３（１）に示す上向き状態をその背面側から見た図で、この携帯電話機２の背面側には、無接点接続部を構成する充電用二次コイルＣＯＬ（２）が埋め込まれていると共に、その近傍には所定間隔を空けて磁気センサＸ、Ｙが埋め込まれている。また、無接点充電装置１と携帯電話機２との接続面（載置面）において、それらの中央部には対応する接触センサＴＳが配設されている。
【００６２】
図１３は、折り畳んで閉じた状態の携帯電話機２を無接点充電装置１に載置した際に、携帯電話機２が置かれた向きを示すほか、折り畳みを開いた状態の携帯電話機２を無接点充電装置１に載置した際に、携帯電話機２が置かれた向きを示した図である。図１３（１）〜（４）は、携帯電話機２を折り畳んで閉じた状態において磁気センサＸ、Ｙがどの磁性体Ａ、Ｂに対向しているか（組み合わせられたか）に応じて、その組み合わせ数に応じた４種類の向きとして、第１実施形態と同様に、“上向き”、“右向き”、“左向き”、“下向き”を示している。図１３（５）〜（８）は、折り畳みを開いた状態において磁気センサＸ、Ｙがどの磁性体Ａ、Ｂに対向しているか（組み合わせられたか）に応じて、その組み合わせ数に応じた４種類の向きとして、“上向き”、“右向き”、“左向き”、“下向き”を示している。
【００６３】
図１４は、第２実施形態の向き判別テーブルＴＢＬの内容を説明するための図で、第１実施形態と同様に「向き」、「磁気センサの検出する磁性体」、「処理」のほか、「開閉状態」の項目を有している。「開閉状態」は、携帯電話機２を折り畳んで閉じた状態の“閉”と、開いた状態の“開”を示し、この“閉”に対応する「向き」、「磁気センサの検出する磁性体」、「処理」の場合は、第１実施形態と同様となっているが、“開”に対応する「向き」は、図１３（５）〜（８）に示すように“上向き”、“右向き”、“左向き”、“下向き”となっている。
【００６４】
「開閉状態」が“開”の「磁気センサの検出する磁性体」は、上向きに対応して“磁気センサＸ＝磁性体Ａ、磁気センサＹ＝磁性体Ｂ”となり、右向きに対応して“磁気センサＸ＝磁性体Ｂ、磁気センサＹ＝なし”となり、左向きに対応して“磁気センサＸ＝なし、磁気センサＹ＝磁性体Ａ”となり、下向きに対応して“磁気センサＸ＝なし、磁気センサＹ＝なし”となっている。また、「開閉状態」が“開”の「処理」は、上向きに対応して“通常充電を開始及びマナーモード”となり、右向きに対応して“通常充電と外部機器の通信を開始及びマナーモード”となり、左向きに対応して“外部機器の通信を開始及びマナーモード”となり、下向きに対応して“急速充電を開始及びマナーモード”となっている。
【００６５】
図１５は、第２実施形態において携帯電話機２の基本的な構成要素を示したブロック図である。なお、第２実施形態の無接点充電装置１は、図４（第１実施形態）の構成要素と基本的に同様であるので、それを図示省略するが、図４と相違する点は、次のとおりである。すなわち、第２実施形態の無接点充電装置１には、図４で示した向き検出部１７、向き判別テーブルＴＢＬ、接触センサＴＳを有しない点、磁性体Ａ、Ｂを有する点であり、そのほかは図４と基本的に同様の構成となっている。以下、第２実施形態の携帯電話機２について説明する。
携帯電話機２は、無接点充電装置１から発生された電力エネルギーの供給によって充電されるもので、図６で示したように制御部２０１を中核として、二次電池ＢＴを備えた電源部２０２、記憶部２０３、無接点接続部２０４、無線通信部２０５、電話部２０６、表示部２０７、操作部２０８、報知部２０９、非接触通信部２１０、接触センサＴＳを有するほか、開閉検出部２１１、向き検出部２１２を有する構成となっている。
【００６６】
記憶部２０３は、プログラム領域とデータ領域とを有し、このプログラム領域には、図１６に示す動作手順に応じて本実施形態を実現するためのプログラムが格納されている。また、記憶部２０３のデータ領域には、この携帯電話機２の動作に必要な各種の情報が一時記憶されているほか、後述する向き判別テーブルＴＢＬが設けられている。無接点接続部２０４は、携帯電話機２が無接点充電装置１に接続（載置）されている状態において、無接点充電装置１との間で無接点充電方式（例えば、電磁誘導方式）によって、電源部２０２内の二次電池ＢＴに対する充電が行われるもので、充電用二次コイルＣＯＬ（２）のほか、充電切替部ＢＣ（２）などを有する構成となっている。この無接点接続部２０４内の充電切替部ＢＣ（２）は、“通常充電”、“急速充電”、“充電オフ”を切り替えるもので、例えば、スイッチングトランジスタなどによって構成され、制御部２０１は、この充電切替部ＢＣ（２）に対して、通常充電指示、急速充電指示、充電オフ指示のいずれかを与えることによって“通常充電”、“急速充電”、“充電オフ”のいずれかに切り替えるようにしている。
【００６７】
開閉検出部２１１は、折り畳みタイプの携帯電話機２において、２つの筐体（操作部筐体、表示部筐体）が開閉状態として、２つの筐体の折り畳みを開いた開状態と、２つの筐体を折り畳んで閉じた閉状態とを検出するものである。なお、着信報知の仕方として周囲への影響を考慮した“マナーモード”に設定されている場合には、サウンドスピーカＩＦ１からの着信音の発生に代わって振動モータＩＦ３によるバイブレーション報知を行うようにしている。向き検出部２１２は、上述の磁気センサＸ、Ｙを有すると共に、アナログ／デジタル変換器などを有し、無接点充電装置１に載置させた際に磁気センサＸ、Ｙが無接点充電装置１側の磁性体Ａ、Ｂのいずれを検出したかに応じて携帯電話機２が置かれた向きを検出するもので、上述した第１実施形態と同様の構成となっている。
【００６８】
図１６は、第２実施形態において、電源オンに応じて実行開始される携帯電話機２の全体動作の概要を示したフローチャートである。
先ず、携帯電話機２の制御部２０１は、電源オンに伴ってメモリ内容などを初期化すると共に、着信や操作待ちの状態となる（ステップＢ１）。この待ち受け状態において、電話着信を検出した場合に（ステップＢ２でＹＥＳ）、回線接続させるオフフック操作が行われたときには（ステップＢ３でＹＥＳ）、その操作に応答して、通話可能状態とする通話処理に移る（ステップＢ４）。この通話状態において、オンフック操作が行われると（ステップＢ５でＹＥＳ）、その操作に応答して、通話を切断する終話処理を行った後（ステップＢ６）、上述のステップＢ２に戻る。また、待ち受け状態において、その他の操作が行われたときには（ステップＢ１８でＹＥＳ）、その操作に対応する処理として、例えば、発信処理などを行った後（ステップＢ１９）、上述のステップＢ２に戻る。
【００６９】
一方、無接点充電装置１に載置されたことが接触センサＴＳによって検出されると（ステップＢ７でＹＥＳ）、向き検出部２１２によって携帯電話機２の向きを検出することができたか、つまり、携帯電話機２の向きが上下左右のいずれかであるかを検出することができたかを調べる（ステップＢ８）。いま、例えば、右上斜め向き、左下斜め向きなどのように上下左右以外の向きで携帯電話機２の向きが検出することができなかった場合、つまり、図５に示したように、磁気センサＸ、Ｙの出力が閾値（２）未満で閾値（３）以上であれば（ステップＢ８でＮＯ）、磁気センサＸ、Ｙと磁性体Ａ、Ｂとの対向関係を検出することができない不定状態となっているために、ステップＢ１５に移り、無接点接続部２０４内の充電切替部ＢＣ（２）に対して通常充電指示を与え、通常充電が可能な状態に切り替えて通常充電を開始させる。
【００７０】
そして、報知部２０９を駆動して通常充電中であることを、例えば、青色発光によって報知させる（ステップＢ１６）。以下、無接点充電装置１への載置が外されて、その接続が解除されたことが接触センサＴＳによって検出されたかを調べ（ステップＢ１７）、無接点充電装置１から外されるまで上述のステップＢ１５に戻り、通常充電を継続させる。いま、充電完了あるいは充電途中で無接点充電装置１から外されたときには（ステップＢ１７でＹＥＳ）、充電切替部ＢＣ（１）に対して通常オフ指示を与え、充電を停止させた後（ステップＢ１４）、上述のステップＢ２に戻る。
【００７１】
また、向き検出部２１２によって携帯電話機２の向きを検出することができた場合には（ステップＢ８でＹＥＳ）、つまり、“磁気センサＸ＝磁性体Ａ、磁気センサＹ＝磁性体Ｂ”によって上向きが検出されたり、“磁気センサＸ＝磁性体Ｂ、磁気センサＹ＝なし”によって右向きかが検出されたり、“磁気センサＸ＝なし、磁気センサＹ＝磁性体Ａ”によって左向きが検出されたり、“磁気センサＸ＝なし、磁気センサＹ＝なし”によって下向きが検出されたりした場合には、開閉検出部２１１の検出結果（開状態／閉状態）を取得する（ステップＢ９）。そして、向き検出部２１２及び開閉検出部２１１の検出結果に基づいて向き判別テーブルＴＢＬを参照し（ステップＢ１０）、それに対応付けられている「処理」を読み出してその動作を実行する（ステップＢ１１）。そして、報知部２０９を駆動して実行動作の種類を報知させた後（ステップＢ１２）、無接点充電装置１への載置が外されて接続が解除されたことが接触センサＴＳによって検出されたかを調べ（ステップＢ１３）、無接点充電装置１から外されるまで上述のステップＢ１１に戻って、その実行動作を継続させる。
【００７２】
例えば、閉状態において、上向きが検出されたときには上述の通常充電を開始させ、右向きが検出されたときには通常充電と共に、携帯電話機２と外部機器３との間での通信を開始させ、左向きが検出されたときには携帯電話機２と外部機器３との間での通信を開始させ、下向きが検出されたときには無接点接続部１３内の充電切替部ＢＣ（１）に対して急速充電指示を与え、急速充電が可能な状態に切り替えて急速充電を開始させる。また、開状態において、上向きが検出されたときには通常充電を開始させると共に、マナーモードに設定し、右向きが検出されたときには通常充電と共に携帯電話機２と外部機器３との間での通信を開始させ、更に、マナーモードに設定し、左向きが検出されたときには携帯電話機２と外部機器３との間での通信を開始させると共にマナーモードに設定し、急速充電を開始させると共に、マナーモードに設定する。
【００７３】
ここで、接触センサＴＳによって無接点充電装置１から外されたことが検出されると（ステップＢ１３でＹＥＳ）、現在実行中の動作を停止させた後（ステップＢ１４）、上述のステップＢ２に戻る。この場合、充電途中で携帯電話機２の向きを変更するために、携帯電話機２を外して置き直したときには、変更後の向きに応じた動作の実行に変更されるが、通信途中のときには、その通信が完了するまで携帯電話機２の置き直しを禁止する旨のメッセージを報知するようにしてもよい。
【００７４】
以上のように、第２実施形態において携帯電話機２は、無接点充電装置１に置かれた向きを検出すると共に、この向きに応じて実行動作を制御するようにしたので、特別なキー操作を行うことなしに、ユーザの意図した実行動作を制御することができ、利便性が増して、実用効果の高いものとなる。
【００７５】
携帯電話機２の制御部２０１は、その無接点接続部２０４内に設けられている充電切替部ＢＣ（２）に対して、携帯電話機２の向きに応じて通常充電指示、急速充電指示のいずれかを与えることによって“通常充電”、“急速充電”のいずれかに切り替えるようにしたので、携帯電話機２の向きに応じて電源部２０２内の二次電池ＢＴに対する充電方法を切り替えることができる。
【００７６】
携帯電話機２の制御部２０１は、無接点充電装置１に載置されている状態において、無接点充電装置１を介して外部機器３との間で行う通信を携帯電話機２の向きに応じて制御するようにしたので、例えば、スケジュールデータの送受信やメディアプレイヤーソフトの起動などの送受信を制御することができる。
【００７７】
携帯電話機２の制御部２０１は、どの磁気センサＸ、Ｙが無接点充電装置１側のどの磁性体Ａ、Ｂに組み合わせられたかに応じて、その組み合わせ数に応じた種類の向きを検出するようにしたので、磁気センサＸ、Ｙの数が少なくても多くの向きに対応して多くの実行動作を制御することができる。
【００７８】
携帯電話機２の制御部２０１は、携帯電話機２の向きが検出されなかった場合、例えば、右上斜め向き、左下斜め向きなど、上下左右以外の向きの場合には、二次電池ＢＴに対して充電を行うようにしたので、向きの数を更に増やすことができるほか、向きを間違えたとしても充電だけは確実に行うことが可能となる。
【００７９】
携帯電話機２の制御部２０１は、携帯電話機２の向きに応じて実行動作を制御する場合に、その実行動作を報知するようにしたので、ユーザにあっては、どのような動作が実行されているかを容易に確認することができる。
【００８０】
携帯電話機２の制御部２０１は、開閉検出部２１１及び向き検出部２１２の検出結果に基づいて実行動作を制御するようにしたので、特別なキー操作を行うことなしに、多くの実行動作を制御することができる。
【００８１】
なお、上述した各実施形態においては、無接点充電装置１と携帯電話機２との接続面（載置面）に、対応する接触センサＴＳを配設することによって携帯電話機２が無接点充電装置１に載置されたことを検出するようにしたが、それらの接続の検出は、例えば、電磁誘導作用を利用して検出するようにしてもよい。この場合、電磁誘導作用によって発生された起電力が所定値よりも大きいか否かによって携帯電話機２が無接点充電装置１に載置されたことを検出するようにしてもよい。このように載置の検出に磁場を利用する場合には、載置を検出した後に、無接点充電装置１側の充電用一次コイルＣＯＬ（１）への通電を一時的に遮断してから携帯電話機２の向きの検出を検出するようにすればよい。この場合、向きを検出した後に無接点充電装置１側の充電用一次コイルＣＯＬ（１）への通電を開始するようにすればよい。
【００８２】
また、上述した各実施形態においては、無接点充電装置１に携帯電話機２を載置するようにしたが、載置以外の接続として、それらの近接などを検出するようにしてもよい。この場合、例えば、超音波センサ、赤外線センサなどによって近接検出を行えばよい。
【００８３】
上述した各実施形態においては、携帯電話機２の向きを検出する磁気センサＸ、Ｙとして、ホール素子を使用したが、例えば、磁気抵抗素子を用いてホイートストン・ブリッジを構成した磁気センサであってもよく、磁気センサＸ、Ｙ、磁性体Ａ、Ｂを使用した磁気センサに限らず、発光素子、受光素子を使用した光センサなどであってもよい。
【００８４】
上述した各実施形態においては、無接点充電装置１と外部機器３とを１本の共通ケーブル４で接続して電源を外部機器３側から取るようにしているが、無接点充電装置１と外部機器３とは通信のみを行い、無接点充電装置１の電源は、商用電源への直接接続によって得るようにしてもよい。また、無接点充電装置１と外部機器３との接続は、ケーブル接続に限らず、無線ＬＡＮ、Bluetooth（登録商標）や赤外線通信などを利用して行うようにしてもよい。
【００８５】
上述した各実施形態においては、携帯電話機２の向きに応じて実行動作を制御する場合、充電の開始を制御する場合に限らず、充電の終了や一時停止などを制御する場合であってもよく、同様に、通信の開始を制御する場合に限らず、通信の終了や一時停止などを制御する場合であってもよく、また、携帯電話機２の向きに応じてデータ種を変更するなど、実行動作の制御は、任意である。
【００８６】
上述した各実施形態においては、携帯電話機２に適用した場合を示したが、二次電池内蔵のＰＤＡ、音楽プレイヤー、それらの複合機、又はテレビ放送やラジオ放送を受信する放送受信装置など、任意の装置であってもよい。
【００８７】
上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８８】
１  無接点充電装置
２  携帯電話機
３  外部機器
１１、２０１  制御部
１２、２０３  記憶部
１３、２０４  無接点接続部
１４、２０９  報知部
１６  外部機器接続部
１７、２１２  向き検出部
１８、２１０  非接触通信部
２０２  電源部
２１１  開閉検出部
Ａ、Ｂ、Ｃ  磁性体
ＢＣ（１）、ＢＣ（２）  充電切替部
ＢＴ  二次電池
ＴＢＬ  向き判別テーブル
ＴＳ  接触センサ
Ｘ、Ｙ、Ｚ  磁気センサ
【図１】
0005529482.tif 000002
【図２】
0005529482.tif 000003
【図３】
0005529482.tif 000004
【図４】
0005529482.tif 000005
【図５】
0005529482.tif 000006
【図６】
0005529482.tif 000007
【図７】
0005529482.tif 000008
【図８】
0005529482.tif 000009
【図９】
0005529482.tif 000010
【図１０】
0005529482.tif 000011
【図１１】
0005529482.tif 000012
【図１２】
0005529482.tif 000013
【図１３】
0005529482.tif 000014
【図１４】
0005529482.tif 000015
【図１５】
0005529482.tif 000016
【図１６】
0005529482.tif 000017